(57)【要約】【課題】回転ドラムの前方を覆う前面透明パネルの交換を容易にできるようにする。【解決手段】筐体３の前面部に可変図柄表示用の回転ドラム４Ｌ，４Ｃ，４Ｒの前方を覆う前面透明パネル８が設けられ、さらにその前面透明パネル８の下方に開始レバー１２や停止ボタン１３Ｌ，１３Ｃ，１３Ｒを配した操作ユニット９若しくは前面透明パネル８の上方に遊技状況に合わせて各種演出を行う演出手段を配した演出ユニット１５が設けられたスロットマシン１に適用し、操作ユニット９を筐体２から取り外した状態において、前面透明パネル８を下方に移動させて筐体３から取り外せるようにするか、又は演出ユニット１５を筐体３から取り外した状態において、前面透明パネル８を上方に移動させて筐体３から取り外せるようにする。【選択図】　図３
2004073845.tif 000002
【特許請求の範囲】
【請求項１】
筐体の前面部に該筐体に内蔵された可変図柄表示用の回転ドラムの前方を覆う前面透明パネルが設けられ、さらにその前面透明パネルの下方に回転ドラムの回転を開始させる操作具や回転ドラムの回転を停止させる操作具を配した操作ユニットが設けられたスロットマシンであって、前記操作ユニットを筐体に着脱可能に取り付けるとともに、当該操作ユニットを筐体から取り外した状態において、前記前面透明パネルを下方に移動させて筐体から取り外すことができるようにしたことを特徴とするスロットマシン。
【請求項２】
筐体の前面部に該筐体に内蔵された可変図柄表示用の回転ドラムの前方を覆う前面透明パネルが設けられ、さらにその前面透明パネルの上方に遊技状況に合わせて各種演出を行う演出手段を配した演出ユニットが設けられたスロットマシンであって、前記演出ユニットを筐体に着脱可能に取り付けるとともに、当該演出ユニットを筐体から取り外した状態において、前記前面透明パネルを上方に移動させて筐体から取り外すことができるようにしたことを特徴とするスロットマシン。
【発明の詳細な説明】
【０００１】
【発明の属する技術分野】
この発明は、可変図柄表示用の回転ドラムの前方を覆う前面透明パネルの組み付けや取り外しを容易にして内部の保守点検やリサイクル処理を行いやすくしたスロットマシンに関する。
【０００２】
【従来の技術】
スロットマシンは、外周面に複数の図柄が描かれた回転ドラムが例えば３個筐体に内蔵されており、それら回転ドラムの図柄の一部が筐体前面部分に形成された表示窓に表示されるようになっている。表示窓の周囲の枠体には、遊技方法の説明やリーチ目等を示す記号や絵柄が表示されたシール状の印刷物を貼着したり、遊技状況を示すランプ類を組み込んだりしている。これら表示窓と枠体の前面には、内蔵された回転ドラムを保護するためのアクリル板等でできた前面透明パネルが、筐体前面の周囲枠と表示窓周囲の枠体の間に挟み込むようにして取り付けられている。
【０００３】
このように、前面透明パネルを取り付けるには、筐体前面周囲の枠組に前面透明パネルを裏側から当接させ、さらに図５（スロットマシン本体の前面扉を裏側から見た図）に示すように、その裏側から表示窓を形成する枠体２０を押し当て、この枠体２０の裏面に取り付けられる制御基板類２１に形成されたビス穴にビス２２を螺着して、前面透明パネルを枠体２０及び制御基板類２１と一体的に筐体裏面側から取り付けている。この取り付けの後に、制御基板類２１と本体内の各機器とを接続ケーブル２３で接続している。
【０００４】
【発明が解決しようとする課題】
スロットマシンの内部装置の保守点検や部品等をリサイクル処理するため、前面透明パネルを取り外す必要が生じた場合には、接続ケーブル２３の配線を解きながら、制御基板類２１、枠体２０を順に外し、上記とは逆の取り外し作業を行わねばならない。一旦組み込まれたものを複数の工程を経て取り外すため、極めて作業性が悪いという問題があった。そこで、本発明は前面透明パネルの交換を容易に行うことができるようしたスロットマシンを提供することを課題とする。
【０００５】
【課題を解決するための手段】
上記課題を解決するために、本発明は次のような構成を採用した。すなわち、請求項１に記載のスロットマシンは、筐体の前面部に該筐体に内蔵された可変図柄表示用の回転ドラムの前方を覆う前面透明パネルが設けられ、さらにその前面透明パネルの下方に回転ドラムの回転を開始させる操作具や回転ドラムの回転を停止させる操作具を配した操作ユニットが設けられたスロットマシンであって、前記操作ユニットを筐体に着脱可能に取り付けるとともに、当該操作ユニットを筐体から取り外した状態において、前記前面透明パネルを下方に移動させて筐体から取り外すことができる構成としたことを特徴としている。
【０００６】
この構成であれば、制御基板類や表示窓部を形成する枠体を筐体の裏側に取り付けたまま、操作ユニットを筐体から取り外す作業のみで前面透明パネルを取り外すことができ、前面透明パネルの交換も容易に行うことができる。
【０００７】
また、請求項２に記載のスロットマシンは、筐体の前面部に該筐体に内蔵された可変図柄表示用の回転ドラムの前方を覆う前面透明パネルが設けられ、さらにその前面透明パネルの上方に遊技状況に合わせて各種演出を行う演出手段を配した演出ユニットが設けられたスロットマシンであって、前記演出ユニットを筐体に着脱可能に取り付けるとともに、当該演出ユニットを筐体から取り外した状態において、前記前面透明パネルを上方に移動させて筐体から取り外すことができるようにしたことを特徴としている。
【０００８】
この構成であれば、制御基板類や表示窓部を形成する枠体を筐体の裏側に取り付けたまま、演出ユニットを筐体から取り外す作業のみで前面透明パネルを取り外すことができ、前面透明パネルの交換も容易に行うことができる。
【０００９】
【発明の実施の形態】
以下、図面に表された実施の形態について説明する。図１は本発明の実施例であるスロットマシンの外観構成を示す斜視図である。このスロットマシン１は、筐体３の前部に前扉２が開閉自在に取り付けられ、該筐体３の内部に可変図柄表示用として３個の回転ドラム４Ｌ，４Ｃ，４Ｒが左右並列に収納されている。前扉２の前面中央には表示窓部６が形成され、この表示窓部６に回転ドラム４Ｌ，４Ｃ，４Ｒの外周面に描かれている複数の図柄のうち３個づつが表示されるようになっている。
【００１０】
表示窓部６の周囲には窓枠５が設けられ、窓枠５の表側には遊技方法を示す記号や絵が印刷されたシールが貼着され、また、遊技状況を示すランプ類７が組み込まれている。窓枠５で囲まれた表示窓部６の前面は、内蔵された回転ドラム４Ｌ，４Ｃ，４Ｒを保護するためのアクリル板製の前面透明パネル８が取り付けられている。
【００１１】
前面透明パネル８で覆われた表示窓部６の下側には操作ユニット９が設置され、これにメダル投入口１０、メダル投入ボタン１１、開始レバー１２、停止ボタン１３Ｌ，１３Ｃ，１３Ｒ等の各種操作具が一体に設けられている。さらに、操作ユニット９の下方にはメダル受け皿１４が設けられている。
【００１２】
また、表示窓部６の上側には演出ユニット１５が設置され、これに演出手段としての演出用ランプ１６Ｌ，１６Ｃ，１６Ｒ及びスピーカ１７Ｌ，１７Ｒが設けられている。
【００１３】
メダル投入口１０に遊技メダルを投入し、メダル投入ボタン１１を押すとゲーム可能となる。この状態で開始レバー１２を操作することにより各回転ドラム４Ｌ，４Ｃ，４Ｒが一斉に回転し、停止ボタン１３Ｌ，１３Ｃ，１３Ｒを押すことにより対応する回転ドラム４Ｌ，４Ｃ，４Ｒの回転が停止する。このとき、表示窓部６に表示される計９個の図柄のうち入賞ライン上に位置する３個の図柄が予め定めた所定の組み合わせで揃うと入賞となり、入賞の種類に応じた枚数の遊技メダルがメダル受け皿１４に払い出される。このように入賞が成立したときや特殊なゲーム状況にあるとき、演出用ランプ１６Ｌ，１６Ｃ，１６Ｒ及びスピーカ１７Ｌ，１７Ｒで各種演出を行う。
【００１４】
図２は、表示窓部６の周辺部を表す断面図である。窓枠５を前扉２の前面側に形成された段部２ａに前側から嵌め込み、その前側に前面透明パネル８を当接させ、その前面透明パネル８の上下両端部を、演出ユニット１５に形成された上側係合部１５ａ及び操作ユニット９に形成された下側係合部９ａで前方に外れないように保持した構造になっている。操作ユニット９及び演出ユニット１５は前扉２と別体になっていて、両者は取り付けねじ１８によって着脱可能に前扉２に取り付けられている。なお、符号１９は回転ドラムやランプ類の作動を制御する制御基板で、窓枠５の裏面に取り付けられている。
【００１５】
上記のように構成されたこのスロットマシン１は、図３に示すように、取り付けねじ１８を抜いて操作ユニット９を前扉２から取り外すことにより、前面透明パネル８を下方に移動させて前扉２から取り外すことができる。また、図４に示すように、取り付けねじ１８を抜いて演出ユニット１５を前扉２から取り外すことにより、前面透明パネル８を上方に移動させて前扉２から取り外すこともできる。このため、従来のように前扉２を開けて、表示窓部６の周囲に設けられた窓枠５の裏面側に取り付けた制御基板１９類を外さなくても、前面透明パネル８の交換作業を容易に行うことができる。また、窓枠５の前面に貼着されている印刷物の貼り替えも、制御基板１９類や窓枠５そのものを外さずに行うことができる。
【００１６】
なお、この実施例では、操作ユニット９及び演出ユニット１５の両方が前扉２（筐体３）から取り外せる構成になっているが、いずれか一方だけが前扉２（筐体３）から取り外せる構成としても、前面透明パネル８の交換作業が容易であることに変わりはない。
【００１７】
【発明の効果】
以上の説明から明らかなように、この発明にかかるスロットマシンは、回転ドラムの回転を開始させる操作具や回転ドラムの回転を停止させる操作具を配した操作ユニットを筐体に着脱可能に取り付けるとともに、当該操作ユニットを筐体から取り外した状態において、回転ドラムの前方を覆う前面透明パネルを下方に移動させて筐体から取り外すことができる構成とすることにより、機械のリサイクル時などにおける前面透明パネルの交換や窓枠の前面に貼着されている印刷物の貼り替えが容易になり、作業能率を向上させられるようになった。
【００１８】
また、遊技状況に合わせて各種演出を行う演出手段を配した演出ユニットを筐体に着脱可能に取り付けるとともに、当該演出ユニットを筐体から取り外した状態において、前面透明パネルを上方に移動させて筐体から取り外すことができる構成としても、上記と同様の効果が得られる。
【図面の簡単な説明】
【図１】スロットマシンの外観斜視図である。
【図２】表示窓部の周辺部を表す断面図である。
【図３】操作ユニット及び前面透明パネルを取り外す過程を示すスロットマシンの外観斜視図である。
【図４】演出ユニット及び前面透明パネルを取り外す過程を示すスロットマシンの外観斜視図である。
【図５】前扉を開いた状態の裏側を示す図である。
【符号の説明】
１　スロットマシン
２　前扉
３　筐体
４Ｌ，４Ｃ，４Ｒ　回転ドラム
５　窓枠
６　表示窓部
８　前面透明パネル
９　操作ユニット
１２　開始レバー
１３Ｌ，１３Ｃ，１３Ｒ　停止ボタン
１５　演出ユニット
１６Ｌ，１６Ｃ，１６Ｒ　演出用ランプ（演出手段）
１７Ｌ，１７Ｒ　スピーカ（演出手段）
【図１】
2004073845.tif 000003
【図２】
2004073845.tif 000004
【図３】
2004073845.tif 000005
【図４】
2004073845.tif 000006
【図５】
2004073845.tif 000007